(57)【要約】【課題】ワンシャフトマルチカー方式のエレベーターにおいて、複数のかごの空調機器からの排水を自動的かつ迅速に排出することができるエレベーターの排水装置を提供する。【解決手段】各かご２０ａ、２０ｂに、空調機器からの排水を貯める貯水タンク２３と、貯水タンクに貯められた水を下方へと排水するための排水口及び排水弁２６を有する排水管２５と、１つ上のかごの排水管の排水口からの排水を受水可能に設けられ、受けた水を当該かごの貯水タンクへと導く受水口２７と、貯水タンクの水が規定量以上となったことを検出する検出手段と、を備えるとともに、検出手段により貯水タンクの水が規定量以上であると検出されたかごである排水かごとこの排水かごの１つ下のかごである受水かごとを上下に隣接する階床に停止させた上で、排水かごの排水弁２６を開かせる制御手段を備える。【選択図】図２
2015101426.tif 000002
【特許請求の範囲】
【請求項１】
共通の昇降路内に、それぞれが独立して昇降可能に設けられた複数のかごと、
前記複数のかごのそれぞれに設けられ、空調機器からの排水を貯める貯水タンクと、
前記複数のかごのそれぞれに設けられ、当該かごの前記貯水タンクに貯められた水を下方へと排水するための排水口及び排水弁を有する排水手段と、
前記複数のかごのうち最も上に配置されたかご以外のかごのそれぞれに、１つ上のかごの前記排水手段の排水口からの排水を受水可能に設けられ、受けた水を当該かごの前記貯水タンクへと導く受水手段と、
前記複数のかごのそれぞれの前記貯水タンクの水が予め定められた規定量以上となったことを検出する検出手段と、
前記検出手段により前記貯水タンクの水が規定量以上であると検出されたかごである排水かごとこの排水かごの１つ下のかごである受水かごとを上下に隣接する階床に停止させた上で、前記排水かごの排水弁を開かせて、前記排水かごの前記貯水タンクの水を前記排水かごの前記排水手段及び前記受水かごの前記受水手段を介して、前記受水かごの前記貯水タンクへと移動させる制御手段と、を備えたことを特徴とするエレベーターの排水装置。
【請求項２】
前記制御手段は、前記排水かごの前記貯水タンクの水が規定量以上であると前記検出手段により検出された場合に、前記受水かごを最寄階に停止させた後、前記排水かごを前記受水かごの停止階の上側に隣接する階に停止させた上で、前記排水かごの排水弁を開かせることを特徴とする請求項１に記載のエレベーターの排水装置。
【請求項３】
前記制御手段は、前記受水かごの前記貯水タンクの水が規定量以上となったことが前記検出手段により検出された場合、前記排水かごの排水弁を閉じさせ、前記受水かごを前記受水かごの１つ下のかごの停止階の隣接階又は最下階に移動させた後、前記受水かごの排水弁を開かせることを特徴とする請求項１又は請求項２に記載のエレベーターの排水装置。
【請求項４】
前記制御手段は、前記検出手段により２以上のかごの前記貯水タンクに貯まった水が規定量以上となったことが検出された場合、予め定められた優先順位に従って、順次に、各かごの排水弁を開かせることを特徴とする請求項１から請求項３のいずれか一項に記載のエレベーターの排水装置。
【請求項５】
前記優先順位は、より下方に配置されたかごの排水弁を先に開かせるように設定されることを特徴とする請求項４に記載のエレベーターの排水装置。
【発明の詳細な説明】
【技術分野】
【０００１】
この発明は、エレベーターの排水装置に関するものである。
【背景技術】
【０００２】
従来においては、上下かご間の間隔調節が行われるダブルデッキエレベーターにおいて、上かごに搭載された冷房装置からの排水を可能にすることを目的としたものとして、上かごから延びる排水管からの排水を、下かごに設けられた貯水タンクに排水するようにし、かつ、この排水管における上下かご間の部分の長さが、上下かごの間隔に応じて伸縮するように構成したものが知られている（例えば、特許文献１参照）。
【先行技術文献】
【特許文献】
【０００３】
【特許文献１】特開２００４−１４２９１９号公報
【特許文献２】特開２００９−１９６７２９号公報
【発明の概要】
【発明が解決しようとする課題】
【０００４】
特許文献１に示された従来におけるエレベーターの排水装置においては、上かご及び下かごが上下に隣接した状態が常に維持されるダブルデッキエレベーターであることを前提としている。ここで、同一昇降路内を独立に走行する複数のかごが就役するいわゆるワンシャフトマルチカー方式のエレベーターの場合について考えてみると、複数のかごが独立して昇降するため、上かごと下かごとの間の間隔はダブルデッキエレベーターのそれと比較して段違いに大きくなり得る。
【０００５】
しかしながら、特許文献１に示された従来におけるエレベーターの排水装置においては、このようなワンシャフトマルチカー方式のエレベーターの事情については全く考慮されていない。このため、特許文献１に記載された構成をそのままワンシャフトマルチカー方式のエレベーターに適用することは著しく困難であり、仮に適用できたとしても、上かごと下かごとの間隔が複数の階床間にわたった場合等にも対応して排水管が伸縮可能とするには装置の構成が複雑化・大型化してしまう。
【０００６】
また、上方に配置されたかごが停止している際に、保守員等が手作業にて当該かごの貯水タンクから排水を除去する方法が容易に想定される。しかし、この方法を用いる場合、定期的に貯水タンクの水量を確認しなければならず、排水除去の作業者の負担が大きい。確認及び排水除去作業を怠った場合には、排水漏れにより昇降路内の設備あるいはエレベーター機器が冠水する懸念がある。
【０００７】
この発明は、このような課題を解決するためになされたもので、同一昇降路内を独立に走行する複数のかごが就役するいわゆるワンシャフトマルチカー方式のエレベーターにおいて、これら複数のかごの空調機器からの排水を、保守員等の手を煩わせることなく、簡潔な構成でもって自動的かつ迅速に排出することができるエレベーターの排水装置を得るものである。
【課題を解決するための手段】
【０００８】
この発明に係るエレベーターの排水装置においては、共通の昇降路内に、それぞれが独立して昇降可能に設けられた複数のかごと、前記複数のかごのそれぞれに設けられ、空調機器からの排水を貯める貯水タンクと、前記複数のかごのそれぞれに設けられ、当該かごの前記貯水タンクに貯められた水を下方へと排水するための排水口及び排水弁を有する排水手段と、前記複数のかごのうち最も上に配置されたかご以外のかごのそれぞれに、１つ上のかごの前記排水手段の排水口からの排水を受水可能に設けられ、受けた水を当該かごの前記貯水タンクへと導く受水手段と、前記複数のかごのそれぞれの前記貯水タンクの水が予め定められた規定量以上となったことを検出する検出手段と、前記検出手段により前記貯水タンクの水が規定量以上であると検出されたかごである排水かごとこの排水かごの１つ下のかごである受水かごとを上下に隣接する階床に停止させた上で、前記排水かごの排水弁を開かせて、前記排水かごの前記貯水タンクの水を前記排水かごの前記排水手段及び前記受水かごの前記受水手段を介して、前記受水かごの前記貯水タンクへと移動させる制御手段と、を備えた構成とする。
【発明の効果】
【０００９】
この発明に係るエレベーターの排水装置においては、同一昇降路内を独立に走行する複数のかごが就役するいわゆるワンシャフトマルチカー方式のエレベーターにおいて、これら複数のかごの空調機器からの排水を、保守員等の手を煩わせることなく、簡潔な構成でもって自動的かつ迅速に排出することができるという効果を奏する。
【図面の簡単な説明】
【００１０】
【図１】この発明の実施の形態１に係る排水装置を備えたエレベーターの全体構成を模式的に示す図である。
【図２】この発明の実施の形態１に係る排水装置を備えたエレベーターのかごの構成を模式的に示す図である。
【図３】この発明の実施の形態１に係るエレベーターの排水装置の制御系統を示すブロック図である。
【図４】この発明の実施の形態１に係るエレベーターの排水装置の下方に設置されたかごの排水動作の一例を示すフロー図である。
【図５】この発明の実施の形態１に係るエレベーターの排水装置の上方に設置されたかごの排水動作の一例を示すフロー図である。
【発明を実施するための形態】
【００１１】
この発明を添付の図面に従い説明する。各図を通じて同符号は同一部分又は相当部分を示しており、その重複説明は適宜に簡略化又は省略する。
【００１２】
実施の形態１．
図１から図５は、この発明の実施の形態１に係るもので、図１は排水装置を備えたエレベーターの全体構成を模式的に示す図、図２はエレベーターのかごの構成を模式的に示す図、図３はエレベーターの排水装置の制御系統を示すブロック図、図４はエレベーターの排水装置の下方に設置されたかごの排水動作の一例を示すフロー図、図５はエレベーターの排水装置の上方に設置されたかごの排水動作の一例を示すフロー図である。
【００１３】
図１に示すように、エレベーターの昇降路１０内には、上かご２０ａが昇降自在に設置されている。上かご２０ａの上端には上かごロープ１１ａの一端が連結されている。上かごロープ１１ａの他端は図示しない上かご釣合い重りの上端に連結されている。上かごロープ１１ａの中間部は、昇降路１０の頂部に設置された図示しない上かご巻上機の駆動綱車に巻き掛けられている。このようにして、上かご２０ａ及び上かご釣合い重りは、上かごロープ１１ａによって昇降路１０内で互いに相反する方向に昇降するつるべ状に吊持されている。
【００１４】
昇降路１０内には、上かご２０ａに加え、下かご２０ｂも設置されている。下かご２０ｂも、上かご２０ａと同じく、下かごロープ１１ｂによって、下かご釣合い重りと昇降路１０内で互いに相反する方向に昇降するつるべ状に吊持されている。
【００１５】
上かご２０ａは昇降路１０内において下かご２０ｂから見て相対的に上側に配置されている。したがって、上かご２０ａは常に昇降路１０における下かご２０ｂよりも上側にある。逆に下かご２０ｂは上かご２０ａよりも常に昇降路１０における下側にある。
【００１６】
このように、この発明に係るエレベーターの制御装置が制御対象とするエレベーターは、同一の共通する昇降路１０内に複数のかごである上かご２０ａ及び下かご２０ｂがそれぞれ独立して昇降することができるように設けられた、いわゆるワンシャフトマルチカー方式のエレベーターである。なお、ここでは、上かご２０ａ及び下かご２０ｂの２つのかごが共通する昇降路１０内に設けられた例を説明しているが、かごは２つに限られず２つ以上の任意の数に増やすことができる。
【００１７】
これらの上かご２０ａ及び下かご２０ｂは、エレベーターが設置された建物の複数の階床に停止可能である。ただし、上かご２０ａ及び下かご２０ｂの上下位置関係は入れ換わることができず、かつ、上かご２０ａ及び下かご２０ｂが同時に同じ階床に停止することはできない。このような制約があるため、最上階には上かご２０ａのみが停止可能であり、最下階には下かご２０ｂのみが停止可能である。
【００１８】
昇降路１０内の底部には、昇降路排水設備１２が設置されている。この昇降路排水設備１２の受水口は、下かご２０ｂの後述する排水管２５の排水口の真下に配置されている。下かご２０ｂが最下階に停止した際には、下かご２０ｂの排水管２５の排水口と昇降路排水設備１２の受水口とが対向し、排水口と受水口とが十分に近づくようになっている。
【００１９】
次に、図２を参照しながら、上かご２０ａ及び下かご２０ｂの詳細な構成について説明する。なお、上かご２０ａ及び下かご２０ｂは、後述する受水口２７の有無を除いて同じ構成である。ここでは、下かご２０ｂを例にして説明する。
【００２０】
下かご２０ｂは、かご室２１を備えている。かご室２１は、略直方体状を呈する中空の箱体である。かご室２１内には利用者が搭乗するための空間が形成される。かご室２１の天面の上側には、空調装置２２が設置されている。空調装置２２は、かご室２１内の空気調和を行うためのものである。
【００２１】
空調装置２２が冷房運転されると空気中の水分が凝結して生じるドレン水が排出される。この空調装置２２からの排水を一時的に貯留するため、かご室２１の床面（底面）の下側には、貯水タンク２３が備えられている。空調装置２２と貯水タンク２３とは集水管２４により接続されている。かご室２１の上側の空調装置２２からの排水は、集水管２４を通ってかご室２１の下側の貯水タンク２３へと導かれる。
【００２２】
貯水タンク２３には、排水管２５が接続されている。排水管２５は、貯水タンク２３内の水を下方へと排水するために重力方向下向きに開口された排水口を有している。排水管２５における貯水タンク２３と排水口との間には排水弁２６が設けられている。この排水弁２６を開閉させることで貯水タンク２３からの排水を制御することができる。具体的には、排水弁２６を開くと貯水タンク２３内の水が排水管２５を通り排水口から下方へと排出される。そして、排水弁２６を閉じると貯水タンク２３からの排水が止まる。
【００２３】
かご室２１の上方には、受水口２７が設けられている。受水口２７は上方に開いた漏斗状の開口である。受水口２７は、１つ上のかごの排水管２５の排水口の真下に配置され、１つ上のかごの排水管２５の排水口からの排水を受水可能に設けられている。すなわち、下かご２０ｂの受水口２７は、上かご２０ａの排水管２５の排水口の真下に配置され、上かご２０ａの排水管２５の排水口からの排水を受水可能である。
【００２４】
なお、１つ上のかご（上かご２０ａ）と当該かご（下かご２０ｂ）とが上下に隣接する階床に停止した際、１つ上のかご（上かご２０ａ）の排水管２５の排水口と当該かご（下かご２０ｂ）の受水口２７とが十分に接近して対向するように、受水口２７は当該かご（下かご２０ｂ）の上部からさらに上方向に延びるようにして設置される。
【００２５】
受水口２７は集水管２４へと接続されている。したがって、受水口２７で受けた水は、集水管２４を通って貯水タンク２３へと導かれ、貯水タンク２３に貯留される。
【００２６】
なお、最も上に配置されるかごである上かご２０ａは、受水口２７が設けられていない点を除いて、下かご２０ｂと同様に構成される。上かご２０ａも下かご２０ｂと同様に構成されている。ただし、最も上に配置されるかごである上かご２０ａは、自身よりも上方に他のかごが存在しないため、受水口２７及び受水口を集水管２４に接続するのに必要な部材に相当する設備は設けられていない。
【００２７】
したがって、貯水タンク２３、並びに、排水口及び排水弁２６を有する排水管２５は、複数のかごのそれぞれに設けられる。また、受水口２７及び受水口で受けた水を貯水タンクへと導くために必要な部材は、複数のかごのうち最も上に配置されたかご以外のかごであるところの下かご２０ｂにのみ設けられ、最も上に配置されたかごである上かご２０ａには設けられない。
【００２８】
以上のように構成されたエレベーターの動作は、図３に示す上かご制御盤３０ａ、下かご制御盤３０ｂ及び群管理盤４０により制御される。上かご２０ａ及び下かご２０ｂは、それぞれ独立した上かご制御盤３０ａ及び下かご制御盤３０ｂに接続されている。上かご制御盤３０ａ及び下かご制御盤３０ｂは群管理盤４０に接続されている。
【００２９】
通常の運転時、エレベーターの目的階は群管理盤４０に集約され、上かご制御盤３０ａ及び下かご制御盤３０ｂを介して上かご２０ａ及び下かご２０ｂにかごの走行、停止のための信号が出力される。また、群管理盤４０は上かご制御盤３０ａ及び下かご制御盤３０ｂより上かご２０ａ及び下かご２０ｂそれぞれの昇降路１０内での位置を示す信号を受け取り、相互のかごが衝突しないように、かごの走行、停止指令信号を発する。
【００３０】
各かご（上かご２０ａ及び下かご２０ｂ）の貯水タンク２３には、貯水タンク２３内の水量を検出する水量センサが取り付けられている。この水量センサは貯水タンク２３の水が予め定められた規定量以上となったことを検出する検出手段を構成している。
【００３１】
上かご制御盤３０ａ、下かご制御盤３０ｂ及び群管理盤４０は、検出手段である水量センサによる貯水タンク２３の水量の検出結果に基づいて、各かごの排水動作及び受水動作を制御する制御手段を構成している。この制御手段は、検出手段（水量センサ）によりあるかごの貯水タンク２３の水が規定量以上であることが検出されると、検出手段（水量センサ）により貯水タンク２３の水が規定量以上であると検出されたかご（以下「排水かご」という）とこの排水かごの１つ下のかご（以下「受水かご」という）とを上下に隣接する階床に停止させた上で、排水かごの排水弁２６を開かせて、排水かごの貯水タンク２３の水を排水かごの排水管２５及び受水かごの受水口２７を介して、受水かごの貯水タンク２３へと移動させる。
【００３２】
より詳しくは、各かご（上かご２０ａ及び下かご２０ｂ）の貯水タンク２３の水量センサによる検出結果は、それぞれ上かご制御盤３０ａ及び下かご制御盤３０ｂへと送られる。上かご制御盤３０ａ及び下かご制御盤３０ｂは、水量センサにより貯水タンク２３の水が規定量以上となったことが検出されると、群管理盤４０に対して排水動作実施要求信号を送信する。
【００３３】
群管理盤４０は排水動作実施要求信号を受信すると、当該排水動作実施要求信号を送信してきた制御盤のかごを排水かごに決定する。また、併せて、排水かごの１つ下のかごが存在する場合には、排水かごの１つ下のかごを受水かごに決定する。そして、群管理盤４０は、受水かごの制御盤に対して受水動作実施指令信号を送信する。
【００３４】
群管理盤４０からの受水動作実施指令信号を受けた制御盤は、受水かごが受水動作可能な状態にあるか否かを確認する。そして、受水かごが受水動作可能な状態であることを確認すると、受水かごを最寄階に停止させ群管理盤４０へと受水動作可否返答信号を送信する。
【００３５】
受水動作可否返答信号を受信した群管理盤４０は、排水かごの制御盤に対して排水動作実施指令信号を送信する。群管理盤４０からの排水動作実施指令を受けた制御盤は、排水かごを受水かごの停止階の上側に隣接する階に停止させる。そして、排水弁開閉指令信号を排水かごに送信し、排水弁２６を開かせて貯水タンク２３内の水を排出した後に排水弁２６を閉じさせる。
【００３６】
以上のように構成されたエレベーターの排水装置の動作について、図４及び図５のフロー図を参照しながら、さらに詳細に説明する。まず、図４に示すのは、最も下に配置され自身より下に他のかごが存在しない下かご２０ｂで貯水タンク２３に規定量以上の水が検出された場合における排水動作の流れである。
【００３７】
まず、ステップＳ１において、下かご制御盤３０ｂは、水量センサにより下かご２０ｂの貯水タンク２３の水が規定量以上であることが検出されているか否かを確認する。下かご２０ｂの貯水タンク２３の水が規定量以上であることが検出されていない場合には、ステップＳ１１へと進む。ステップＳ１１においては、下かご制御盤３０ｂは下かご２０ｂの通常運行を継続させ、一連の動作フローは終了となる。
【００３８】
一方、ステップＳ１で下かご２０ｂの貯水タンク２３の水が規定量以上であることが検出されている場合には、ステップＳ２へと進む。ステップＳ２においては、下かご制御盤３０ｂは、群管理盤４０へと排水動作実施要求信号を送信する。
【００３９】
前述したように下かご２０ｂは最も下に配置されたかごであり自身より下に他のかごが存在しない。このため、下かご２０ｂが排水かごである場合には受水かごは必要なく、下かご２０ｂの貯水タンク２３内の水は、直接に昇降路排水設備１２へと排水すればよい。
【００４０】
そこで、ステップＳ２からステップＳ３へと進み、下かご制御盤３０ｂからの排水動作実施要求信号を受信した群管理盤４０は、直ちに下かご制御盤３０ｂへと排水動作実施指令信号を送信する。排水動作実施指令信号を受信した下かご制御盤３０ｂは、下かご２０ｂを通常の運行から切り離して最下階へと走行させる。
【００４１】
そして、ステップＳ４へと進み、下かご制御盤３０ｂは下かご２０ｂが最下階に停止したか否かを確認する。下かご２０ｂがまだ最下階に停止していなければステップＳ１２へと進み所定時間待機の後、ステップＳ４へと戻る。こうして、下かご２０ｂが最下階に停止するまで待機し下かご２０ｂが最下階に停止したことが確認できればステップＳ５へと進む。
【００４２】
なお、下かご制御盤３０ｂが排水動作実施指令信号を受信した際に下かご２０ｂの利用者がいた場合には、下かご２０ｂの行先階登録が無くなるまで通常のサービスを継続した後、下かご２０ｂを最下階へと走行させるようにしてもよい。
【００４３】
ステップＳ５においては、下かご制御盤３０ｂは排水弁開指令信号を出力して下かご２０ｂの排水弁２６を開かせる。この動作により、下かご２０ｂの排水管２５の排水口直下に位置する昇降路排水設備１２の受水口に下かご２０ｂの貯水タンク２３内の水を排出することができる。
【００４４】
ステップＳ５の後はステップＳ６へと進む。ステップＳ６においては、下かご制御盤３０ｂは、下かご２０ｂの貯水タンク２３の水量センサの検出結果を確認し、下かご２０ｂの貯水タンク２３内の水量が０となったか否かを判断する。下かご２０ｂの貯水タンク２３内の水量が０となったことが検出されない場合は、ステップＳ１３へと進み所定時間待機の後、ステップＳ６へと戻る。こうして、下かご２０ｂの貯水タンク２３内の水量が０となったことが検出されるまで待機し、下かご２０ｂの貯水タンク２３内の水量が０となったことの検出が確認できればステップＳ７へと進む。
【００４５】
ステップＳ７においては、下かご制御盤３０ｂは排水弁閉指令信号を出力して下かご２０ｂの排水弁２６を閉じさせる。そして、続くステップＳ８において、下かご制御盤３０ｂは群管理盤４０への排水動作実施要求信号の出力を停止する。ステップＳ８の後はステップＳ９へと進む。
【００４６】
ステップＳ９においては、群管理盤４０は下かご制御盤３０ｂからの排水動作実施要求信号の出力停止に伴い、下かご制御盤３０ｂに対する排水動作実施指令信号の出力を停止する。そして、ステップＳ１０へと進み、排水動作実施指令信号の出力停止を受け、下かご制御盤３０ｂは下かご２０ｂを通常の運行に復帰させる。こうして、一連の動作フローは終了となる。
【００４７】
次に、図５に示すのは、自身より下に他のかごが存在する上かご２０ａで貯水タンク２３に規定量以上の水が検出された場合における排水動作の流れである。
【００４８】
まず、ステップＳ２１において、上かご制御盤３０ａは、水量センサにより上かご２０ａの貯水タンク２３の水が規定量以上であることが検出されているか否かを確認する。上かご２０ａの貯水タンク２３の水が規定量以上であることが検出されていない場合には、ステップＳ３６へと進む。ステップＳ３６においては、上かご制御盤３０ａは上かご２０ａの通常運行を継続させるとともに、下かご制御盤３０ｂは下かご２０ｂの通常運行を継続させ、一連の動作フローは終了となる。
【００４９】
一方、ステップＳ２１で上かご２０ａの貯水タンク２３の水が規定量以上であることが検出されている場合には、ステップＳ２２へと進む。ステップＳ２２においては、上かご制御盤３０ａは、群管理盤４０へと排水動作実施要求信号を送信する。
【００５０】
ステップＳ２２の後はステップＳ２３へと進む。ステップＳ２３においては、上かご制御盤３０ａからの排水動作実施要求信号を受信した群管理盤４０は、上かごを排水かごに決定する。次に、排水かごである上かご２０ａの１つ下のかごである下かご２０ｂを受水かごに決定する。そして、群管理盤４０は、受水かごを制御する下かご制御盤３０ｂに対して受水動作実施指令信号を送信する。受水動作実施指令信号を受信した下かご制御盤３０ｂは、下かご２０ｂの通常運行を中止して下かご２０ｂを最寄階に停止させる。
【００５１】
そして、ステップＳ２４へと進み、下かご制御盤３０ｂは下かご２０ｂが最寄階に停止したか否かを確認する。下かご２０ｂがまだ最寄階に停止していなければステップＳ３７へと進み所定時間待機の後、ステップＳ２４へと戻る。こうして、下かご２０ｂが最寄階に停止するまで待機し下かご２０ｂが最寄階に停止したことが確認できればステップＳ２５へと進む。
【００５２】
ステップＳ２５においては、下かご制御盤３０ｂは群管理盤４０へと受水動作可否返答信号を送信する。続くステップＳ２６において、受水動作可否返答信号を受信した群管理盤４０は、下かご２０ｂは受水可能な状態であると判断し、上かご制御盤３０ａへと排水動作実施指令信号を送信する。排水動作実施指令信号を受信した上かご制御盤３０ａは、上かご２０ａを通常の運行から切り離して受水かごである下かご２０ｂの停止階の上側の隣接階（直上階）へと走行させる。
【００５３】
そして、ステップＳ２７へと進み、上かご制御盤３０ａは上かご２０ａが下かご２０ｂの停止階の直上階に停止したか否かを確認する。上かご２０ａがまだ直上階に停止していなければステップＳ３８へと進み所定時間待機の後、ステップＳ２７へと戻る。こうして、上かご２０ａが直上階に停止するまで待機し上かご２０ａが直上階に停止したことが確認できればステップＳ２８へと進む。
【００５４】
なお、受水動作実施指令信号又は排水動作実施指令信号を受信した際に下かご２０ｂ又は上かご２０ａの利用者がいた場合には、下かご２０ｂ又は上かご２０ａの行先階登録が無くなるまで通常のサービスを継続した後、最寄階又は直上階に停止させるようにしてもよい。
【００５５】
ステップＳ２８においては、上かご制御盤３０ａは排水弁開指令信号を出力して上かご２０ａの排水弁２６を開かせる。この動作により、上かご２０ａの排水管２５の排水口直下に位置する下かご２０ｂの受水口２７に上かご２０ａの貯水タンク２３内の水を排出することができる。
【００５６】
そして、下かご２０ｂの受水口２７で受けた排水は下かご２０ｂの貯水タンク２３に貯められる。この際、上かご２０ａの排水管２５の排水口と下かご２０ｂの受水口２７は十分接近しているため、排水の受け渡しの際に生じる水漏れは無視できる程度に少量にすることができる。
【００５７】
ステップＳ２８の後はステップＳ２９へと進む。ステップＳ２９においては、下かご制御盤３０ｂは、水量センサにより下かご２０ｂの貯水タンク２３の水が規定量以上であることが検出されているか否かを確認する。上かご２０ａの貯水タンク２３の水が規定量以上であることが検出されていない場合には、ステップＳ３０へと進む。
【００５８】
ステップＳ３０においては、上かご制御盤３０ａは、上かご２０ａの貯水タンク２３の水量センサの検出結果を確認し、上かご２０ａの貯水タンク２３内の水量が０となったか否かを判断する。上かご２０ａの貯水タンク２３内の水量が０となったことが検出されない場合は、ステップＳ３９へと進み所定時間待機の後、ステップＳ３０へと戻る。こうして、上かご２０ａの貯水タンク２３内の水量が０となったことが検出されるまで待機し、上かご２０ａの貯水タンク２３内の水量が０となったことの検出が確認できればステップＳ３１へと進む。
【００５９】
ステップＳ３１においては、上かご制御盤３０ａは排水弁閉指令信号を出力して上かご２０ａの排水弁２６を閉じさせる。そして、続くステップＳ３２において、上かご制御盤３０ａは群管理盤４０への排水動作実施要求信号の出力を停止する。ステップＳ３２の後はステップＳ３３へと進む。
【００６０】
ステップＳ３３においては、群管理盤４０は上かご制御盤３０ａからの排水動作実施要求信号の出力停止に伴い上かご制御盤３０ａに対する排水動作実施指令信号の出力を停止するとともに、下かご制御盤３０ｂに対する受水動作実施指令信号の出力を停止する。続くステップＳ３４において、受水動作実施指令信号の出力停止を受け、下かご制御盤３０ｂは、受水動作可否返答信号の出力を停止する。
【００６１】
そして、ステップＳ３５へと進み、排水動作実施指令信号の出力停止を受け、上かご制御盤３０ａは上かご２０ａを通常の運行に復帰させるとともに、下かご制御盤３０ｂは下かご２０ｂを通常の運行に復帰させる。こうして、一連の動作フローは終了となる。
【００６２】
一方、ステップＳ２９で下かご２０ｂの貯水タンク２３の水が規定量以上であることが検出されている場合には、ステップＳ４０へと進む。ステップＳ４０においては、下かご制御盤３０ｂは、受水動作可否返答信号の出力を停止する。
【００６３】
続くステップＳ４１において、群管理盤４０は、下かご制御盤３０ｂからの受水動作実施要求信号の出力停止に伴い、上かご制御盤３０ａに対する排水動作実施指令信号の出力を停止する。この排水動作実施指令信号の出力停止を受け、上かご制御盤３０ａは排水弁閉指令信号を出力して上かご２０ａの排水弁２６を閉じさせる。
【００６４】
そして、ステップＳ４２へと進み、上かご制御盤３０ａは、水量センサにより上かご２０ａの貯水タンク２３の水が規定量以上であることが検出されているか否かを再度確認する。上かご２０ａの貯水タンク２３の水が規定量以上であることが検出されている場合には、ステップＳ４３へと進む。
【００６５】
ステップＳ４３においては、下かご２０ｂの排水動作が実施される。この下かご２０ｂの排水動作は、具体的には前述した図４に示される一連の動作フローに従って実施される。
【００６６】
すなわち、上かご制御盤３０ａ、下かご制御盤３０ｂ及び群管理盤４０により構成される制御手段は、受水かごである下かご２０ｂの貯水タンク２３の水が規定量以上となったことが検出された場合、排水かごである上かご２０ａの排水弁２６を閉じさせ、受水かごである下かご２０ｂを最下階に移動させた後、下かご２０ｂの排水弁２６を開かせることになる。
【００６７】
なお、昇降路１０内に３以上のかごが設けられており、下かご２０ｂの下にさらに別のかごが配置されている場合、ステップＳ４３における下かご２０ｂの排水動作は、下かご２０ｂを排水かごに決定して行う図５の動作フローとなる。したがって、この場合には、制御手段は、下かご２０ｂの１つ下のかごの停止階の上側の隣接階に下かご２０ｂを停止させた上で、下かご２０ｂの排水弁２６を開かせることになる。
【００６８】
ステップＳ４３における下かご２０ｂの排水動作を終えると一連の動作フローは終了となる。ただし、その後に再度当該図５の動作フローが実施された際に、ステップＳ２１において上かご２０ａの貯水タンク２３の水が規定量以上であることが検出されていれば、中断されていた上かご２０ａの貯水タンク２３から下かご２０ｂの貯水タンク２３への排水動作が再開されることになる。
【００６９】
一方、ステップＳ４２において上かご２０ａの貯水タンク２３の水が規定量以上であることが検出されていない場合には、ステップＳ４４へと進む。ステップＳ４４においては、上かご制御盤３０ａは、群管理盤４０への排水動作実施要求信号の出力を停止する。これを受けた群管理盤４０は、下かご制御盤３０ｂに対する受水動作実施指令信号の出力を停止する。そして、ステップＳ４５へと進み、上かご制御盤３０ａは上かご２０ａを通常の運行に復帰させる。
【００７０】
ステップＳ４５の後はステップＳ４３へと進み、下かご２０ｂの排水動作が実施される。この下かご２０ｂの排水動作は、前述したように図４に示される一連の動作フローに従って実施される。ステップＳ４３における下かご２０ｂの排水動作を終えると一連の動作フローは終了となる。
【００７１】
なお、以上においては、共通の昇降路１０内に上かご２０ａ及び下かご２０ｂの２つのかごが設けられている場合について主に説明したが、共通の昇降路１０内に３つ以上のかごが独立して昇降可能に設けられる場合も同様の構成及び動作により目的を達成することが可能である。
【００７２】
また、水量センサにより２以上のかごの貯水タンク２３の水が規定量以上となったことが検出された場合には、制御手段（上かご制御盤３０ａ、下かご制御盤３０ｂ及び群管理盤４０）は、予め定められた優先順位に従って、順次に、上下２台のかごを隣接階に停止させた上でかごの排水弁２６を開かせるように制御する。このような制御は、特に群管理盤４０からの排水動作実施指令信号及び受水動作実施指令信号の出力先を予め定められた優先順位に従って順次に変化させることを実現可能である。
【００７３】
この際、例えば、規定量以上の水の蓄積を検出したかごのうち、より下方に配置されたかごから順次に排水動作を行えば、先に下方のかごの貯水タンク２３内の水量を０にすることができる。このようにすることで、上方のかごの排水を下方のかごの貯水タンク２３に受け渡す際に、下方の乗りかごの貯水タンクの水量が規定量に到達する頻度を低減することが可能である。よって、排水の受け渡しを中断する頻度を低減することができ、結果として、排水動作がすべて完了するまでに要する時間を短縮することが可能となる。
【００７４】
以上のように構成されたエレベーターの排水装置は、共通の昇降路内に、それぞれが独立して昇降可能に設けられた複数のかごと、複数のかごのそれぞれに設けられ空調機器からの排水を貯める貯水タンク２３と、複数のかごのそれぞれに設けられ当該かごの貯水タンクに貯められた水を下方へと排水するための排水口及び排水弁２６を有する排水手段である排水管２５と、複数のかごのうち最も上に配置されたかご以外のかごのそれぞれに、１つ上のかごの排水手段の排水口からの排水を受水可能に設けられ、受けた水を当該かごの貯水タンク２３へと導く受水手段である受水口２７と、複数のかごのそれぞれの貯水タンクの水が予め定められた規定量以上となったことを検出する検出手段と、検出手段により貯水タンク２３の水が規定量以上であると検出されたかごである排水かごとこの排水かごの１つ下のかごである受水かごとを上下に隣接する階床に停止させた上で、排水かごの排水弁２６を開かせて、排水かごの貯水タンク２３の水を排水かごの排水手段及び受水かごの受水手段を介して、受水かごの貯水タンク２３へと移動させる制御手段と、を備えている。
【００７５】
このため、同一昇降路内を独立に走行する複数のかごが就役するいわゆるワンシャフトマルチカー方式のエレベーターにおいて、これら複数のかごの空調機器からの排水を、保守員等の手を煩わせることなく、簡潔な構成でもって自動的かつ迅速に排出することができる。
【符号の説明】
【００７６】
１０  昇降路、  １１ａ  上かごロープ、  １１ｂ  下かごロープ、  １２  昇降路排水設備、  ２０ａ  上かご、  ２０ｂ  下かご、  ２１  かご室、  ２２  空調装置、  ２３  貯水タンク、  ２４  集水管、  ２５  排水管、  ２６  排水弁、  ２７  受水口、  ３０ａ  上かご制御盤、  ３０ｂ  下かご制御盤、  ４０  群管理盤
【図１】
2015101426.tif 000003
【図２】
2015101426.tif 000004
【図３】
2015101426.tif 000005
【図４】
2015101426.tif 000006
【図５】
2015101426.tif 000007